(57)【要約】【課題】複数チャンネルの番組を同時録画する機能の使用性の向上および有効活用を可能にする。【解決手段】実施形態の録画装置は、表示制御手段と、時間帯選択手段と、同時録画手段と、を備える。前記表示制御手段は、複数チャンネルの番組が放送される時間帯を日ごとに配列した同時録画予約表を表示する。前記時間帯選択手段は、前記表示制御手段により表示された同時録画予約表に配列された時間帯の中から１または複数の時間帯を選択する。前記同時録画手段は、前記時間帯選択手段により選択した時間帯に放送される前記複数チャンネルの番組を同時録画する。前記表示制御手段は、前記同時録画予約表とともに、前記時間帯選択手段により選択する時間帯に放送される前記複数チャンネルの番組に関する関連情報を表示する。【選択図】図１
2012138685.tif 000002
【特許請求の範囲】
【請求項１】
複数チャンネルの番組が放送される時間帯を日ごとに配列した同時録画予約表を表示する表示制御手段と、
前記表示制御手段により表示された同時録画予約表に配列された時間帯の中から１または複数の時間帯を選択する時間帯選択手段と、
前記時間帯選択手段により選択した時間帯に放送される前記複数チャンネルの番組を同時録画する同時録画手段と、を備え、
前記表示制御手段は、前記同時録画予約表とともに、前記時間帯選択手段により選択する時間帯に放送される前記複数チャンネルの番組に関する関連情報を表示する録画装置。
【請求項２】
録画する番組を選択する番組選択手段と、
前記番組選択手段により選択した番組を録画する録画手段と、をさらに備え、
前記表示制御手段は、前記同時録画予約表に配列された時間帯のうち、前記番組選択手段により選択された番組が放送される時間帯を、他の時間帯とは異なる表示態様で表示する請求項１に記載の録画装置。
【請求項３】
前記表示制御手段は、前記同時録画予約表とともに、前記時間帯選択手段により選択された時間帯に放送される前記複数チャンネルの番組を示す番組情報をチャンネル毎に並べた第１番組表を表示する請求項１または２に記載の録画装置。
【請求項４】
前記表示制御手段は、前記同時録画予約表に替えて、前記時間帯選択手段により選択された時間帯を含む所定の時間帯に放送される前記複数チャンネルの番組を示す番組情報をチャンネル毎に並べた第２番組表を表示する請求項１から３のいずれか一に記載の録画装置。
【請求項５】
前記表示制御手段は、前記第２番組表に替えて、前記番組選択手段により選択された番組が放送される時間帯を含む所定の時間帯を配列した前記同時録画予約表を表示する請求項４に記載の録画装置。
【請求項６】
前記表示制御手段は、前記第２番組表に並べた前記番組情報のうち、前記時間帯選択手段により選択された時間帯に放送される番組の番組情報を、他の番組の番組情報とは異なる表示態様で表示する請求項４または５に記載の録画装置。
【請求項７】
前記表示制御手段は、前記同時録画予約表とともに、前記時間帯選択手段により選択する時間帯に放送される前記複数チャンネルの番組が属するジャンルを前記関連情報として表示する請求項１から６のいずれか一に記載の録画装置。
【請求項８】
前記表示制御手段は、前記同時録画予約表とともに、前記時間帯選択手段により選択する時間帯に放送される前記複数チャンネルの番組が属するジャンルの割合を前記関連情報として表示する請求項１から７のいずれか一に記載の録画装置。
【請求項９】
録画装置で実行される録画方法であって、
前記録画装置は、制御部を備え、
前記制御部は、
表示制御手段が、複数チャンネルの番組が放送される時間帯を日ごとに配列した同時録画予約表を表示する工程と、
時間帯選択手段が、前記表示された同時録画予約表に配列された時間帯の中から１または複数の時間帯を選択する時間帯選択手段と、
同時録画手段が、前記選択した時間帯に放送される前記複数チャンネルの番組を同時録画する工程と、
前記表示制御手段が、前期同時録画予約表とともに、前記選択する時間帯に放送される前記複数チャンネルの番組に関する関連情報を表示する工程と、
を含む録画方法。
【発明の詳細な説明】
【技術分野】
【０００１】
本発明の実施形態は、録画装置および録画方法に関する。
【背景技術】
【０００２】
近年、複数チャンネルの番組を同時録画する同時録画機能を備えたＨＤＤ（Hard  Disk  Drive）レコーダやデジタルテレビジョンなどの録画装置が普及してきている。
【先行技術文献】
【特許文献】
【０００３】
【特許文献１】特許第４１５３６３９号
【発明の概要】
【発明が解決しようとする課題】
【０００４】
ところで、同時録画機能を備えた録画装置の中には、複数チャンネルの番組が配信される時間帯を、曜日毎に一時間単位で表示し、表示した時間帯の中から選択された時間帯の複数チャンネルの番組を同時録画するものがある。しかしながら、複数のチャンネルの番組が配信される時間帯を曜日毎に一時間単位で表示した場合、各時間帯に配信される番組の番組情報が表示されないため、同時録画する時間帯を選択する際に、どの時間帯を選択すれば所望の番組を録画できるのかが分かりづらい、という課題がある。
【０００５】
本発明は、上記に鑑みてなされたものであって、複数チャンネルの番組を同時録画する機能の使用性の向上および有効活用を可能にする録画装置および録画方法を提供することを目的とする。
【課題を解決するための手段】
【０００６】
実施形態の録画装置は、表示制御手段と、時間帯選択手段と、同時録画手段と、を備える。前記表示制御手段は、複数チャンネルの番組が放送される時間帯を日ごとに配列した同時録画予約表を表示する。前記時間帯選択手段は、前記表示制御手段により表示された同時録画予約表に配列された時間帯の中から１または複数の時間帯を選択する。前記同時録画手段は、前記時間帯選択手段により選択した時間帯に放送される前記複数チャンネルの番組を同時録画する。前記表示制御手段は、前記同時録画予約表とともに、前記時間帯選択手段により選択する時間帯に放送される前記複数チャンネルの番組に関する関連情報を表示する。
【図面の簡単な説明】
【０００７】
【図１】図１は、本実施形態におけるデジタルテレビの構成の一例を示すブロック図である。
【図２】図２は、リモートコントローラの外観を示す平面図である。
【図３】図３は、本実施形態におけるデジタルテレビの番組関連情報表示に関する機能ブロックの一例を示すブロック図である。
【図４】図４は、表示部に表示した同時録画予約表の一例を示す図である。
【図５】図５は、表示部に表示した同時録画予約表の一例を示す図である。
【図６】図６は、番組表の表示例を示す図である。
【図７】図７は、同時録画予約表において同時録画する時間帯を選択する処理の流れを示すフローチャートである。
【発明を実施するための形態】
【０００８】
図１は、本実施形態におけるデジタルテレビの構成の一例を示すブロック図である。
【０００９】
このデジタルテレビ１は、装置各部の動作を制御する制御部１５６を備えている。制御部１５６は、ＣＰＵ（Central  Processing  Unit）等を内蔵している。制御部１５６は、操作部１１６から入力される操作信号や、リモートコントローラ２００から送信され受光部２０１を介して受信される操作信号に応じて、ＲＯＭ（Read  Only  Memory）１５７に予め記憶されたシステム制御プログラム及び各種処理プログラムを起動させる。制御部１５６は、起動したプログラムに従って、ＲＡＭ（Random  Access  Memory）１５８をワークメモリとして装置各部の動作を制御する。各部の動作制御に必要な各種の設定情報及び制御情報等は、一例として、不揮発性メモリ１５９に格納される。
【００１０】
図２は、リモートコントローラの外観を示す平面図である。図２に示すように、リモートコントローラ１１７には、主として、電源キー２５ａ、２次元／３次元変換キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。
【００１１】
また、リモートコントローラ１１７には、ユーザが視聴したいときに視聴したい映像を配信するＶＯＤ（Video  On  Demand）サービスを受けるためのＶＯＤキー２５ｕが設けられている。
【００１２】
また、リモートコントローラ１１７には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００１３】
図１に戻り、デジタルテレビ１は、一例として、放送形式として地上波アナログ放送、地上波デジタル放送、ＢＳデジタル放送およびＣＳデジタル放送等を受信することができるように構成され、さらに、これらから供給される番組を録画したりすることができる、例えば、２テラバイトのＨＤＤ（Hard  Disk  Drive）１７０を備えている。
【００１４】
ＢＳ／ＣＳデジタル放送受信用のアンテナ１４３は、衛星デジタルテレビジョン放送信号を受信する。受信されたデジタル放送信号は、入力端子１４４を介して衛星デジタル放送用のチューナ１４５に供給される。チューナ１４５は、受信したデジタル放送信号のチューニングを行い、チューニングしたデジタル放送信号をＰＳＫ（Phase  Shift  Keying）復調器１４６に送信する。ＰＳＫ復調器１４６は、ＴＳ（Transport  Stream）の復調を行い、復調したＴＳをＴＳ復号器１４７aに供給し、ＴＳ復号器１４７aは、ＴＳをデジタル映像信号及び音声信号等に復号した後、信号処理部１００にこれを出力する。
【００１５】
地上波デジタル放送受信用のアンテナ１４８は、地上波デジタルテレビジョン放送信号を受信する。受信されたデジタル放送信号は、入力端子１４９を介して地上波デジタル放送用のチューナ１５０に供給される。本実施形態において地上はデジタル放送用のチューナ１５０は１１個のチューナを備える（図１においてはそれらを纏めて１つのものとして描写している）。そして、チューナ１５０が備える１１個のチューナのうち、８個のチューナは、後述する時間帯選択部１１７ａ（図３参照）により選択された時間帯に放送される複数のチャンネルの番組を同時に録画する同時録画に用いられ、２個のチューナは、後述する番組選択部１１７ｂ（図３参照）により選択された番組を録画するＰＶＲ（Personal  Video  Recorder）に用いられ、残りの１個のチューナは、番組の視聴用に用いられる。チューナ１５０は、受信したデジタル放送信号のチューニングを行い、チューニングしたデジタル放送信号をそれぞれのＯＦＤＭ（Orthogonal  Frequency  Division  Multiplexing）復調器１５１に送信する。
【００１６】
ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号および音声信号等に復号した後、信号処理部１００にこれを出力する。なお、ＯＦＤＭ復調器１５１とＴＳ復号器１４７ｂはそれぞれ、チューナ１５０の１１個のチューナと同数個である１１個ずつ存在し、それぞれ１つずつチューナ１５０の１１個のチューナに割り当てられている。チューナ１５０の１１個それぞれのチューナで取得した地上波デジタルテレビジョン放送は、これらの複数個のＯＦＤＭ復調器１５１、ＴＳ復号器１４７ｂによってそれぞれ同時に映像信号および音声信号として復号された後に信号処理部１００に出力されることが可能である。
【００１７】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、デジタルテレビ１は、一例として、アンテナ１４８が接続される入力端子１４９にＣＡＴＶ（Common  Antenna  Television）用のチューナを接続することによってＣＡＴＶも視聴することができる。
【００１８】
信号処理部１００は、ＴＳ復号器１４７ａ、１４７ｂから出力されたデジタル放送信号に、適切なデジタル信号処理を施す。デジタル放送信号は、データ信号、映像信号および音声信号に分離される。このデータ信号には放送された番組を示す種々の情報である番組関連情報が含まれている。この番組関連情報には、番組の番組名、番組が属するジャンル、番組が放送されるチャンネルを示すチャンネル情報、番組が放送される日付および時間（以下、日時とする）を示す日時情報などを含む番組情報が番組毎に含まれているものとする。分離された映像信号はグラフィック処理部１５２に、音声信号は音声処理部１５３に出力される。信号処理部１００は、アナログ復調器１６９から出力された放送信号を、所定のデジタルフォーマットの映像信号および音声信号（以下、コンテンツデータとする）に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００１９】
ＯＳＤ（On  Screen  Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。また、ＯＳＤ信号生成部１５４は、後述する表示制御部１１７ｃによって作成された番組表などの各種情報を表示させるための情報を受信し、ＵＩ画面や現在視聴中の番組の画像等とこれを合成してグラフィック処理部１５２に出力する。
【００２０】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２１】
映像処理部１５５は、グラフィック処理部１５２から出力された信号を、表示部１２０で表示可能なフォーマットのアナログ映像信号に変換する。アナログに変換された映像信号は、表示部１２０に出力され、表示画面１２１に表示される。また、映像処理部１５５は、外部出力端子１３５に接続されたＨＤＤレコーダ等の外部装置に映像信号を出力することができる。
【００２２】
音声処理部１５３は、入力された音声信号を、スピーカ１１０で再生可能なフォーマットのアナログ音声信号に変換する。アナログに変換された音声信号は、スピーカ１１０に出力されて再生される。また、音声処理部１５３は、外部出力端子１３６に接続されたアンプ等の外部装置に音声信号を出力することができる。
【００２３】
カードホルダ１６１は、カードＩ／Ｆ（Interface）１６０を介して制御部１５６に接続されている。第１のメモリーカード１１９Ａは、このカードＩ／Ｆ１６０に装着可能である。第１のメモリーカード１１９Ａは、例えばＳＤ（Secure  Digital）メモリーカード、ＭＭＣ（Multimedia  Card）およびＣＦ（Compact  Flash）カード等の記憶媒体である。カードホルダ１６１に装着された第１のメモリーカード１１９Ａ、および制御部１５６は、カードＩ／Ｆ１６０を介して情報の伝達を行うことができる。制御部１５６は、第１のメモリーカード１１９Ａに、画像や音楽、放送番組等のデータを格納することができる。また制御部１５６は、第１のメモリーカード１１９Ａに格納された画像や音楽、放送番組等のデータを読み出して、表示部１２０に表示させたり、スピーカ１１０から音声出力させたりすることができる。
【００２４】
カードホルダ１６３は、カードＩ／Ｆ１６２を介して制御部１５６に接続されている。第２のメモリーカード１１９Ｂは、このカードＩ／Ｆ１６２に装着可能である。第２のメモリーカード１１９Ｂは、例えば放送受信契約の契約情報等を記憶する記憶媒体である。カードホルダ１６３に装着された第２のメモリーカード１１９Ｂ、および制御部１５６は、カードＩ／Ｆ１６０を介して情報の伝達を行うことができる。
【００２５】
第１のＬＡＮ（Local  Area  Network）端子１３１は、通信Ｉ／Ｆ１６４を介して制御部１５６に接続されている。第１のＬＡＮ端子１３１は、イーサネット（登録商標）を用いたＬＡＮ対応ＨＤＤ専用ポートとして使用される。第１のＬＡＮ端子１３１にＬＡＮ対応のＨＤＤ１７１がＮＡＳ（Network  Attached  Storage）として接続された場合、ＨＤＤおよび制御部１５６は、通信Ｉ／Ｆ１６４を介して、情報の伝達を行うことができる。この場合、制御部１５６は、ＤＨＣＰ（Dynamic  Host  Configuration  Protocol）サーバとして機能し、第１のＬＡＮ端子１３１に接続された当該ＬＡＮ対応のＨＤＤにＩＰ（Internet  Protocol）アドレスを割り当てて制御している。
【００２６】
第２のＬＡＮ端子１３２は、通信Ｉ／Ｆ１６５を介して制御部１５６に接続されている。第２のＬＡＮ端子１３２は、イーサネット（登録商標）を用いた一般的なＬＡＮ対応ポートとして使用される。この第２のＬＡＮ端子１３２には、例えばハブを用いて、ＬＡＮ対応のＨＤＤ、ＰＣ（Personal  Computer）、ＨＤＤ内蔵のＤＶＤ（Digital  Versatile  Disk）レコーダ等の機器が接続される。第２のＬＡＮ端子１３２に接続された機器および制御部１５６は、通信Ｉ／Ｆ１６５を介して情報の伝達を行うことができる。第２のＬＡＮ端子１３２にハブを介してブロードバンドルータが接続されている場合、制御部１５６は、当該ブロードバンドルータを介して例えばインターネット等のネットワークに接続することができる。このネットワークにはＰＣや携帯電話等が接続され、デジタルテレビ１との間で情報の伝達を行うことができる。
【００２７】
通信Ｉ／Ｆ１６５を介して制御部１５６に接続されるＨＤＤ、ＰＣ、ＤＶＤレコーダ等の機器には、ハードディスクやＤＶＤ（光ディスク）等の記憶媒体を装着することが可能である。制御部１５６は、当該記憶媒体に、ハブおよび当該ハブに接続される機器を介して画像や音楽、放送番組等のデータを格納することができる。また制御部１５６は、当該記憶媒体に格納された画像や音楽、放送番組等のデータを読み出して、表示部１２０に表示させたり、スピーカ１１０から音声出力させたりすることができる。
【００２８】
ＵＳＢ（Universal  Serial  Bus）端子１３３は、ＵＳＢ  Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリーカードに対するカードリーダ／ライタ、ＨＤＤ１７１、キーボード等が接続される。制御部１５６は、ＵＳＢ端子１３３を介して接続される機器との間で、情報の伝達を行うことができる。
【００２９】
制御部１５６は、ＨＤＤ１７０，１７１にコンテンツデータ、画像、音楽、各種情報（例えば、デジタル放送信号から分離したデータ信号に含まれる番組関連情報やコンテンツデータ、同時録画するチャンネルとして予め選択されたチャンネルを示す同時録画チャンネル情報など）を格納することできる。なお、制御部１５６は、信号処理部１００においてデジタル放送信号から分離したデータ信号に含まれる番組関連情報を、所定時間毎に取得し、取得した番組関連情報によってＨＤＤ１７０に格納されている番組関連情報を更新するものとする。これにより、ＨＤＤ１７０に格納されている番組関連情報を最新の状態に維持することができる。また、制御部１５６は、ＨＤＤ１７０，１７１に格納されたコンテンツデータ、画像、音楽を読み出して、表示部１２０に表示させたり、スピーカ１１０から音声出力させたりすることができる。
【００３０】
本実施形態では、ＨＤＤ１７０は、後述する録画再生制御部１１８（図３参照）の制御の下で、後述する時間帯選択部１１７ａ（図３参照）により選択された時間帯に放送される複数チャンネルの番組のコンテンツデータを同時に録画する同時録画に用いられる。一方、ＨＤＤ１７１は、後述する録画再生制御部１１８の制御の下で、後述する番組選択部１１７ｂ（図３参照）により選択された番組のコンテンツデータを録画するＰＶＲ録画に用いられる。
【００３１】
図３は、本実施形態におけるデジタルテレビにおいてコンテンツデータの録画に関する機能ブロックの一例を示すブロック図である。図３には信号処理部１００、ＨＤＤ１７０，１７１、制御部１５６、ＯＳＤ信号生成部１５４、グラフィック処理部１５２、映像処理部１５５、表示部１２０、録画制御部１１８、時間帯選択部１１７ａ、番組選択部１１７ｂ、および表示制御部１１７ｃが示されている。
【００３２】
録画再生制御部１１８は、信号処理部１００においてデジタル放送信号から分離したコンテンツデータをＨＤＤ１７０，１７１に録画するとともに、ＨＤＤ１７０，１７１に録したコンテンツデータを再生して、表示部１２０に表示させたり、スピーカ１１０から音声出力させたりする。
【００３３】
録画再生制御部１１８は、コンテンツデータをＨＤＤ１７０，１７１に録画する際、録画するコンテンツデータに、そのコンテンツデータの識別情報を付加してＨＤＤ１７０，１７１録画する。ここで、識別情報は、コンテンツデータを識別するための情報であり、コンテンツデータを録画した番組の番組名、コンテンツデータを録画した番組が属するジャンル、コンテンツデータを録画した録画日時、コンテンツデータを録画した番組のチャンネルを示すチャンネル情報などを含むものとする。なお、識別情報は、デジタル放送信号から分離したデータ信号に含まれる番組関連情報から取得するものとする。
【００３４】
本実施形態では、録画再生制御部１１８は、同時録画およびＰＶＲ録画の２種類の録画処理を実行する。録画再生制御部１１８は、同時録画する場合、時間帯選択部１１７ａにより選択された時間帯に、信号処理部１００から、ＨＤＤ１７０に記憶された同時録画チャンネル情報が示す複数のチャンネルのコンテンツデータを取得し、取得した複数チャンネルのコンテンツデータをＨＤＤ１７０に録画する。
【００３５】
ここで、録画再生制御部１１８は、ＨＤＤ１７０にコンテンツデータを録画する場合、新たなコンテンツデータを録画するための領域を確保し、確保した領域にコンテンツデータを録画させる。その際、録画再生制御部１１８は、確保した領域に既にコンテンツが録画されている場合には、当該既に録画されているコンテンツデータに、新たなコンテンツデータを上書きするものとする。なお、ＨＤＤ１７０内の領域は、同時録画するチャンネル毎に分けられており、録画再生制御部１１８は、コンテンツデータを、チャンネル毎に分けて録画する。
【００３６】
一方、録画再生制御部１１８は、ＰＶＲ録画する場合、信号処理部１００から、番組選択部１１７ｂにより選択された番組のコンテンツデータを取得し、取得したコンテンツデータをＨＤＤ１７１に録画する。
【００３７】
ここで、録画再生制御部１１８は、ＨＤＤ１７１にコンテンツデータを録画する場合、ＨＤＤ１７１内の領域のうち、コンテンツデータが記憶されていない空き領域に、コンテンツデータを録画する。仮に、ＨＤＤ１７１内に空き領域がない場合には、録画再生制御部１１８は、ＨＤＤ１７１内に既に録画されたコンテンツデータを消去して空き領域を生成し、生成した空き領域にコンテンツデータを録画するものとする。
【００３８】
時間帯選択部１１７ａは、同時録画予約表４００（図４参照）に配列された時間帯セル４０３（図４参照）が表す時間帯の中から、録画再生制御部１１８によって同時録画する時間帯を１または複数選択するものである。本実施形態では、時間帯選択部１１７ａは、表示制御部１１７ｃにより表示された同時録画予約表４００（図４参照）において、カーソル４１０（図４参照）が移動し、リモートコントローラ２００の決定キー２５ｊが押下された場合、カーソル５１０が移動した時間帯セル４０３（図４参照）が表す時間帯を、同時録画する時間帯として選択する。なお、本実施形態では、時間帯セル４０３が表す時間帯単位で時間帯を選択しているが、時間帯セル４０３が表す複数の時間帯を選択しても良い。例えば、カーソル４１０を日付情報４０２に移動させて、カーソル４１０が移動した日付情報４０２が示す日に放送される全ての時間帯を選択する。
【００３９】
番組選択部１１７ｂは、番組表６００（図６参照）に配列された番組情報６０１が示す番組の中から、録画再生制御部１１８によってＰＶＲ録画する番組を選択するものである。本実施形態では、番組選択部１１７ｂは、表示制御部１１７ｃによって表示部１２０に表示された番組表６００において、カーソル６０５（図６参照）が移動し、リモートコントローラ２００の決定キー２５ｊが押下された場合、カーソル６０５が移動した番組情報６０１が示す番組を、ＰＶＲ録画する番組として選択する。
【００４０】
表示制御部１１７ｃは、地上波デジタル放送の番組が放送される時間帯を日ごとに配列した同時録画予約表４００（図４参照）を、表示部１２０に表示する。図４および図５は、表示部に表示した同時録画予約表の一例を示す図である。本実施形態では、表示制御部１１７ｃは、地上波デジタル放送の番組が放送される時間帯を１時間単位で表す時間帯セル４０３を、１週間分の日付および曜日を表す日付情報４０２と対応付けて、時間軸バー４０１が表す時間軸に沿って配列した同時録画予約表４００を表示部１２０に表示する。
【００４１】
ユーザは、リモートコントローラ２００が有するカーソル上キー２５ｆ、カーソル下キー２５ｇ、カーソル左キー２５ｈ、カーソル右キー２５ｉを操作して、同時録画予約表４００に表示されたカーソル４１０を時間帯セル４０３に移動させかつリモートコントローラ２００の決定キー２５ｊを押下することにより、同時録画する時間帯を選択することができる。表示制御部１１７ｃは、時間帯選択部１１７ａによって同時録画する時間帯が選択されると、同時録画予約表４００に表示された時間帯セル４０３のうち、選択された時間帯を表す時間帯セル４０５を青色で表示し、選択されていない時間帯の時間帯セル４０４を白色で表示するなどして、選択された時間帯の時間帯セル４０５を選択されていない他の時間帯セル４０４とは異なる表示態様で表示する。これにより、ユーザは、同時録画する時間帯と同時録画しない時間帯とを、一見して識別することができる。
【００４２】
また、表示制御部１１７ｃは、同時録画予約表４００とともに、時間帯選択部１１７ａにより選択する時間帯（カーソル４１０が移動した時間帯セル４０３が表す時間帯）に放送される番組に関する関連情報を表示する。本実施形態では、表示制御部１１７ｃは、ＨＤＤ１７０に格納された番組関連情報から、時間帯選択部１１７ａにより選択する時間帯の時間および当該選択した時間帯セル４０３と対応付けられた日付情報４０２が示す日付を示す日時情報を含む全ての番組情報（番組ＩＤ、番組名、ジャンル、チャンネル情報、日時情報など）を取得する。そして、表示制御部１１７ｃは、取得した番組情報に従って、時間帯選択部１１７ａにより選択する時間帯に放送される番組が属するジャンル（例えば、「バラエティ」や「ドラマ」など）や当該時間帯に放送される番組が属するジャンルの割合（例えば、「２０％」や「６０％」など）を含むポップアップ４０６や、当該時間帯に放送される番組が属するジャンルの割合を表すグラフを含むポップアップ４０７を、関連情報として表示する。これにより、ユーザは、カーソル４１０を移動させた時間帯に放送される番組の関連情報を確認しながら、同時録画する時間帯を選択することができるので、複数チャンネルの番組を同時録画する機能の使用性の向上および有効活用を可能にする。
【００４３】
なお、本実施形態では、表示制御部１１７ｃは、カーソル４１０が時間帯セル４０３に移動した際に、ＨＤＤ１７０に格納された番組関連情報から番組情報を取得し、取得した番組情報に従って、選択された時間帯に放送される番組が属するジャンルの割合等を計算（または取得）しているが、これに限定するものではない。表示制御部１１７ｃは、同時録画予約表４００が表示されていなくても、所定時間毎にＨＤＤ１７０に格納された番組関連情報から番組情報を取得し、取得した番組情報に従って、同時録画予約表４００に配列される時間帯セル４０３が表す時間帯に放送される番組が属するジャンルの割合等を予め計算（取得）しておくバックグラウンド処理を実行しても良い。
【００４４】
また、表示制御部１１７ｃは、番組関連情報から取得した番組情報に従って、時間帯選択部１１７ａにより選択された時間帯に番組を放送するチャンネルのうち、同時録画チャンネル情報が示すチャンネルのチャンネル情報（または、同時録画チャンネル情報が示すチャンネル以外のチャンネルのチャンネル情報）を関連情報として表示しても良い。具体的には、表示制御部１１７ｃは、ＨＤＤ１７０に格納された番組関連情報から取得した番組情報に含まれるチャンネル情報のうち、同時録画チャンネル情報が示すチャンネルのチャンネル情報（または、同時録画チャンネル情報が示すチャンネル以外のチャンネルのチャンネル情報）が表示されたポップアップを表示する。
【００４５】
さらに、表示制御部１１７ｃは、番組選択部１１７ｂにより選択されたＰＶＲ録画する番組が放送される時間帯を表す時間帯セル４０３の左端にライン４０８を表示する。具体的には、表示制御部１１７ｃは、ＨＤＤ１７０に格納された番組関連情報から、番組選択部１１７ｂにより選択された番組の番組情報を取得し、取得した番組情報に含まれる日時情報が示す日時を用いて、同時録画予約表４００に配列された時間帯セル４０３のうち、番組選択部１１７ｂにより選択された番組が放送される時間帯を表す時間帯セル４０３を特定し、特定した時間帯セル４０３の左端にライン４０８を表示する。これにより、番組表６００（図６参照）を確認しなくても、同時録画予約表４００において、ＰＶＲ録画する番組の選択状況を確認することができる。
【００４６】
なお、本実施形態では、表示制御部１１７ｃは、番組選択部１１７ｂにより選択された番組が放送される時間帯を表す時間帯セル４０３の左端にライン４０８を表示しているが、番組選択部１１７ｂにより選択された番組が放送される時間帯を、他の時間帯とは異なる表示態様で示すものであれば、これに限定するものではない。例えば、表示制御部１１７ｃは、番組選択部１１７ｂにより選択された番組が放送される時間帯を表す時間帯セル４０３を透過性のある塗りつぶしで表示しても良い。
【００４７】
表示制御部１１７ｃは、同時録画予約表４００を表示部１２０に表示している間に、リモートコントローラ２００の青のカラーキー２５ｎが押下された場合、ＨＤＤ１７０に格納された番組関連情報から、カーソル４１０が移動した時間帯セル４０３が示す時間帯に含まれる時間およびカーソル４１０が移動した時間帯セル４０３と対応付けられた日付情報４０２が示す日付を示す日時情報を含む番組情報を取得する。そして、表示制御部１１７ｃは、図５に示すように、番組関連情報から取得した番組情報（例えば、番組名、番組内容、ジャンルなど）５０１がチャンネル５０２毎に配列されたミニ番組表５００（第１番組表）を、同時録画予約表４００とともに表示部１２０に表示する。つまり、表示制御部１１７ｃは、同時録画予約表４００とともに、カーソル４１０が移動した時間帯セル４０３が示す時間帯に放送される番組の番組情報５０１がチャンネル５０２毎に配列されたミニ番組表５００を表示する。これにより、同時録画予約表４００において同時録画する時間帯を確認しつつ、同時録画する時間帯に放送される番組の詳細を把握することができる。
【００４８】
また、表示制御部１１７ｃは、ミニ番組表５００に配列された番組情報５０１のうち、ＨＤＤ１７０に格納した同時録画チャンネル情報が示すチャンネルにおいて放送される番組の番組情報５０１の左端にライン５０３を表示する。さらに、表示制御部１１７ｃは、ミニ番組表５００に配列された番組情報５０１のうち、番組選択部１１７ｂにより選択した番組の番組情報５０１の左端にライン５０４を表示する。なお、本実施形態では、ミニ番組表５００の左端にライン５０３，５０４を表示しているが、同時録画するチャンネルで放送される番組の番組情報５０１またはＰＶＲ録画する番組の番組情報５０１を、その他の番組の番組情報とは異なる表示態様で表示するものであれば、これに限定するものではない。
【００４９】
表示制御部１１７ｃは、同時録画予約表４００を表示部１２０に表示している間に、リモートコントローラ２００の赤のカラーキー２５ｎが押下された場合、ＨＤＤ１７０に格納された番組関連情報から、カーソル４１０が移動した時間帯セル４０３が表す時間帯を含む所定の時間帯内の時間およびカーソル４１０が移動した時間帯セル４０３と対応付けられた日付情報４０２が示す日付を示す全ての番組情報を取得する。そして、表示制御部１１７ｃは、取得した番組情報６０１（図６参照）を配列した番組表６００（図６参照）を、同時録画予約表４００に替えて、表示部１２０に表示する。つまり、表示制御部１１７ｃは、同時録画予約表４００に替えて、カーソル４１０が移動した時間帯セル４０３が表す時間帯を含む所定の時間帯に放送される番組の番組情報６０１を配列した番組表６００を表示する。
【００５０】
図６は、番組表の表示例を示す図である。本実施形態では、表示制御部１１７ｃは、カーソル４１０が移動した時間帯セル４０３が示す時間帯を含む複数の時間帯に放送される番組の番組情報６０１を、チャンネル６０３毎に、時間軸６０２に沿って配列した番組表６００（第２番組表）を表示部１２０に表示する。また、表示制御部１１７ｃは、番組表６００に表示された番組情報６０１のうち、時間帯選択部１１７ａにより選択された時間帯に放送される番組の番組情報６０１（つまり、時間帯選択部１１７ａにより選択された時間帯に含まれる時間を示す日時情報を示す番組情報６０１）の左端にライン６０４を表示する。なお、本実施形態では、時間帯選択部１１７ａにより選択された時間帯に放送される番組の番組情報６０１の左端にライン６０４を表示しているが、時間帯選択部１１７ａにより選択された時間帯に放送される番組の番組情報６０１を、その他の番組情報と異なる表示態様で表示するものであれば、これに限定するものではない。例えば、表示制御部１１７ｃは、時間帯選択部１１７ａにより選択された時間帯に放送される番組の番組情報６０１を透過性のある塗りつぶしで表示しても良い。また、表示制御部１１７ｃは、番組表６００に表示された時間軸６０２において、時間帯選択部１１７ａにより選択された時間帯を示す位置に、時間軸６０２に沿ったラインなどを表示して、時間軸６０２において、選択された時間帯とその他の時間帯とを異なる表示態様で表示しても良い。
【００５１】
これにより、同時録画により録画される番組の選択状況やＰＶＲ録画する番組の選択状況を、同時録画予約表４００および番組表６００のいずれにおいても確認できるので、録画する番組の全ての選択状況の確認、同時録画により録画される番組とＰＶＲ録画する番組との間おける重複選択の視覚的な確認、および無駄のない番組の選択が可能となる。
【００５２】
ユーザは、リモートコントローラ２００が有するカーソル上キー２５ｆ、カーソル下キー２５ｇ、カーソル左キー２５ｈ、カーソル右キー２５ｉを操作して、番組表６００に表示されたカーソル６０５を、所望の番組の番組情報６０１に移動させた後、リモートコントローラ２００が有する決定キー２５ｊを押下することにより、カーソル６０５が移動した番組情報６０１が示す番組を、ＰＶＲ録画する番組に選択することができる。
【００５３】
また、表示制御部１１７ｃは、番組表６００を表示部１２０に表示している間に、リモートコントローラ２００の赤のカラーキー２５ｎが押下された場合、カーソル６０５が移動した番組情報６０１が示す番組が放送される時間帯を表す時間帯セル４０３を含む同時録画予約表４００を表示部１２０に表示する。具体的には、表示制御部１１７ｃは、番組表６００を表示部１２０に表示している間に、リモートコントローラ２００の赤のカラーキー２５ｎが押下された場合、カーソル６０５が移動した番組情報６０１が含む日時情報が示す日付を表す日付情報６０２と、カーソル６０５が移動した番組情報６０１が含む日時情報が示す時間を含む時間帯を表す時間帯セル４０３と、を含む同時録画予約表４００を表示する。つまり、表示制御部１１７ｃは、リモートコントローラ２００の赤のカラーキー２５ｎの押下に応じて、表示部１２０に表示する情報を、同時録画予約表４００または番組表６００に切り替える。
【００５４】
表示部１２０に表示する情報を番組表６００から同時録画予約表４００に切り替えた際、表示制御部１１７ｃは、同時録画予約表４００に表示されるカーソル４１０を、番組表６００においてカーソル６０５が移動した番組情報６０１が示す番組が放送される時間帯（つまり、カーソル６０５が移動した番組情報６０１に含まれる日時情報が示す時間を含む時間帯）を表す時間帯セル４０３に位置させるものとする。これにより、同時録画予約表４００と番組表６００とを切り替えて表示した場合であっても、番組表６００においてカーソル６０５を移動させた番組情報が示す番組が放送される時間帯を同時録画予約表４００において確認でき、かつ同時録画予約表４００においてカーソル４１０を移動させた時間帯セル４０３が示す時間帯に放送されるコンテンツを番組表６００において確認できるので、同時録画する時間帯の選択およびＰＶＲ録画する番組の選択を並行して行う連係操作、および同時録画する時間帯とＰＶＲ録画する番組との関係性の把握が容易となる。
【００５５】
なお、本実施形態では、リモートコントローラ２００の赤のカラーキー２５ｎの押下に応じて、同時録画予約表４００または番組表６００に切り替えているが、同一のボタンにより、同時録画予約表４００または番組表６００に切り替えるものであれば、これに限定するものではない。
【００５６】
図７は、同時録画予約表において同時録画する時間帯を選択する処理の流れを示すフローチャートである。表示制御部１１７ｃは、まず、同時録画予約表４００を表示する（ステップＳ７０１）。次いで、カーソル４１０が所望の時間帯セル４０３に移動すると（ステップＳ７０２：Ｙｅｓ）、表示制御部１１７ｃは、時間帯選択部１１７ａにより選択する時間帯（つまり、カーソル４０１が移動した時間帯セル４０３が表す時間帯）に放送される複数チャンネルの番組に関する関連情報を表示する（ステップＳ７０３）。その後、リモートコントローラ２００の決定キー２５ｊが押下されると（ステップＳ７０４：Ｙｅｓ）、時間帯選択部１１７ａは、カーソル４１０が移動した時間帯セル４０３が表す時間帯を、録画再生制御部１１８により同時録画する時間帯として選択する（ステップＳ７０５）。
【００５７】
このように、本実施形態のデジタルテレビ１によれば、複数チャンネルの番組が放送される時間帯を表す１時間単位の時間帯セル４０３を日ごとに配列した同時録画予約表４００を表示し、カーソル４１０が移動した時間帯セル４０３が表す時間帯を、同時録画する時間帯として選択し、カーソル４１０が移動した時間帯セル４０３が表す時間帯に放送される複数チャンネルの番組に関する関連情報を表示することにより、カーソル４１０を移動させた時間帯に放送される番組に関する関連情報を確認しながら、同時録画する時間帯を選択することができるので、複数チャンネルの番組を同時録画する機能の使用性の向上および有効活用を可能にする。
【００５８】
なお、本実施形態のデジタルテレビ１で実行されるプログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５９】
さらに、本実施形態のデジタルテレビ１で実行されるプログラムを、インターネット等のネットワークに接続されたコンピュータ上に格納し、ネットワーク経由でダウンロードさせることにより提供するように構成しても良い。また、本実施形態のデジタルテレビ１で実行されるプログラムをインターネット等のネットワーク経由で提供または配布するように構成しても良い。
【００６０】
本実施形態のデジタルテレビ１で実行されるプログラムは、上述した各部（録画再生制御部１１８、時間帯選択部１１７ａ、番組選択部１１７ｂ、表示制御部１１７ｃなど）を含むモジュール構成となっており、実際のハードウェアとしてはＣＰＵ（プロセッサ）が上記ＲＯＭ１５７からプログラムを読み出して実行することにより上記各部が主記憶装置上にロードされ、録画再生制御部１１８、時間帯選択部１１７ａ、番組選択部１１７ｂ、表示制御部１１７ｃなどが主記憶装置上に生成されるようになっている。
【００６１】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００６２】
１００…デジタルテレビ、１７０，１７１…ＨＤＤ、１１８…録画再生制御部、１１７ａ…時間帯選択部、１１７ｂ…番組選択部、１１７ｃ…表示制御部。
【図１】
2012138685.tif 000003
【図２】
2012138685.tif 000004
【図３】
2012138685.tif 000005
【図４】
2012138685.tif 000006
【図５】
2012138685.tif 000007
【図６】
2012138685.tif 000008
【図７】
2012138685.tif 000009